(57)【要約】【課題】少なくとも２つのケース部材の嵌合により構成されるケースを有し、防水性能の向上を図ることで、高い信頼性を有する電池パックを提供する。【解決手段】電池パックにおけるケースは、２つのケース部材の組み合わせを以って構成されている。その一方のケース部材１１では、もう一方のケース部材に向けて立設された衝立状のリブ１１ｂが、ケースの窓部に対応する部分１１ｃを除く領域に連設されている。もう一方のケース部材の外周縁部には、リブ１１ｂの侵入を受け入れる溝部が形成されている。ケース部材１１におけるリブ１１ｂの外側面であって、開口１１ｃを臨む部分において、ケースの外周方向に水分の移動を抑制する水分移動規制部として、副リブ１１ｄが立設されている。副リブ１１ｄは、その頂部分がもう一方のケース部材における溝部を臨む内側面に溶着される。【選択図】図４
2014137909.tif 000002
【特許請求の範囲】
【請求項１】
第１ケース部材と第２ケース部材との組み合わせを以って形成されたケースと、
素電池を有し、前記ケースの内部空間に収納されたコアパックと、
を備え、
前記ケースの一部には、前記コアパックの一部が露出する窓部が設けられており、
前記第１ケース部材の外周縁部には、前記第２ケース部材に向けて立設された衝立状のリブが、前記窓部を除く領域に連設されており、
前記第２ケース部材の外周縁部には、前記第１ケース部材における前記リブの侵入を受け入れる溝部が形成されており、
前記リブが前記溝部内に侵入した状態において、前記第１ケース部材における前記リブの外側面と前記第２ケース部材における前記溝部を臨む内側面との間には隙間があいた部分が存在しており、
前記第１ケース部材における前記リブの外側面と前記第２ケース部材における前記溝部を臨む内側面との間には、前記第１ケース部材の外周縁部に沿った方向において、前記窓部を臨む部分に水分の移動を抑制する水分移動規制部が設けられている
ことを特徴とする電池パック。
【請求項２】
前記リブの頂部分は、前記溝部の底部分に対して溶着されている
ことを特徴とする請求項１に記載の電池パック。
【請求項３】
前記水分移動規制部は、前記リブの外側面から、当該外側面に対して交差する方向に突設された筋状または鰭状の副リブであり、
前記副リブの頂部分は、前記第２ケース部材における前記溝部を臨む内側面に対して溶着されている
ことを特徴とする請求項２に記載の電池パック。
【請求項４】
前記水分移動規制部は、前記第１ケース部材における前記リブの外側面と前記第２ケース部材における前記溝部を臨む内側面との間に液密に介挿された防水テープである
ことを特徴とする請求項２に記載の電池パック。
【請求項５】
前記水分移動規制部は、前記第１ケース部材における前記リブの外側面と前記第２ケース部材における前記溝部を臨む内側面との間に液密に充填形成された充填部材である
ことを特徴とする請求項２に記載の電池パック。
【請求項６】
前記第１ケース部材と前記第２ケース部材との間には、前記第１ケース部材における外周縁部を通る環状のパッキンが介挿されており、
前記パッキンには、前記第１ケース部材の外周縁部に沿った方向における前記窓部を臨む部分に、前記第１ケースにおける前記リブの外側面に対して交差する方向に凸部が一体に形成されており、
前記水分移動規制部は、前記パッキンにおける前記凸部である
ことを特徴とする請求項１に記載の電池パック。
【請求項７】
前記ケースの外面における前記窓部を囲む部分には、外部からの水分の浸入を抑制する防水ラベルが貼着されており、
前記防水ラベルは、前記第１ケース部材と前記第２ケース部材との突き合わせ部分も被覆している
ことを特徴とする請求項１から請求項６の何れかに記載の電池パック。
【請求項８】
前記窓部は、前記第２ケース部材の側壁に閉じた環状に開けられており、
前記第１ケース部材の内底面からは、前記第２ケース部材における前記窓部を臨む縁部に向けて柱部が立設されており、
前記柱部の頂部は、前記第２ケース部材における内底面に当接または近接している
ことを特徴とする請求項１から請求項７の何れかに記載の電池パック。
【請求項９】
前記窓部は、前記第２ケース部材の側壁に閉じた環状に開けられており、
前記窓部から一部が露出するのは、前記素電池と電気的に接続された角丸直方体形状のコネクタであり、
前記コネクタには、前記第２ケース部材における前記窓部を臨む縁部に対して当接または近接する棚部が設けられている
ことを特徴とする請求項１から請求項７の何れかに記載の電池パック。
【請求項１０】
前記ケースは、前記第１ケース部材と前記第２ケース部材との嵌合方向に扁平な形状をしている
ことを特徴とする請求項１から請求項９の何れかに記載の電池パック。
【発明の詳細な説明】
【技術分野】
【０００１】
本発明は、電池パックに関し、特にケースにおける防水構造に関する。
【背景技術】
【０００２】
電池パックは、ノートブック型パーソナルコンピュータ（ノートＰＣ）やタブレット型パーソナルコンピュータ（タブレットＰＣ）などをはじめとする携帯電子機器や車両などの電源として広く用いられている。
図１６に示すように、従来技術に係る電池パックは、浅皿状をしたケース部材９０の内部に、コアパック９２が収納され、ケース部材９０の開口がケース部材９１で封口された構成を有する。ケース部材９０とケース部材９１との組み合わせを以ってケースが構成されている。コアパック９２は、扁平角形をした複数の素電池９２１〜９２６と、これらに接続された回路基板９２７と、回路基板９２７上に取り付けられたコネクタ９２８とを有してなる。コネクタ９２８は、その一部がケース部材９０に設けられた窓部９０ｂから外部露出している。
【０００３】
図１７（ａ）に示すように、ケース部材９０の外周縁部分には溝部が形成され、当該溝部に嵌入するようにケース部材９１の対応部分にリブ９１ｂが立設されている。そして、ケース部材９０とケース部材９１とは、互いに超音波接合されることにより、リブ９１ｂの先端部分が溶融し（溶着部９１ｇ）、互いに嵌合されている。
ここで、図１７（ａ）に示すように、ケース部材９０とケース部材９１とは、高い外観品質を維持するために互いに隙間Ｋをあけて配される。当該部分から内部に対する水分の直接的な浸入に対しては、リブ９１ｂの先端部分における溶着部９１ｇにより抑制されるようになっている。
【０００４】
また、図１６の拡大部分に示すように、コネクタ９２８が露出する窓部９０ｂの周辺では、高さの観点からケース部材９１にリブを設けることができないため、コネクタ９２８の周辺部分からの水分の浸入を抑制すべく防水ラベル９３が貼着されている。
【先行技術文献】
【特許文献】
【０００５】
【特許文献１】特開２００９−１８１８３０号公報
【特許文献２】特開２００２−２４５９９３号公報
【発明の概要】
【発明が解決しようとする課題】
【０００６】
しかしながら、上記従来技術に係る電池パックの構造においては、図１７（ａ）に示すように、ケース部材９０の突き合わせ端とケース部材９１の突き合わせ端との間に隙間Ｋが開くように設計されているが、この隙間Ｋに浸入した水分が、隙間Ｋを周方向に伝搬し、防水ラベル９３の裏側（ケース部材９０，９１で構成されたケース内側）に浸入することがある。具体的には、図１７（ｂ）に示すように、隙間Ｋに浸入した水分は、溶着部９１ｇに沿って周方向に伝搬し、コネクタ９２８が露出する周辺部分の隙間（矢印Ｌで指し示す部分など）からケース部材９０，９１内側へと浸入することがある。
【０００７】
このように、ケース部材９０，９１内側へと水分が浸入してしまうと、内部の素電池９２１〜９２６や回路基板９２７などで短絡を起こしたり、露出した金属部材が腐食したりすることになる。このような事態が生じると、電池パックの信頼性の低下をもたらす。
なお、ケース部材同士の嵌合部分にパッキンを介挿する構成とした場合においても、コネクタの露出部分周辺でリブが立設されていない領域が存在する構造を採る場合には、同様の問題を生ずることが考えられる。
【０００８】
本発明は、少なくとも２つのケース部材の嵌合により構成される外装体を有し、防水性能の向上を図ることで、高い信頼性を有する電池パックを提供することを目的とする。
【課題を解決するための手段】
【０００９】
本発明に係る電池パックは、ケースと、当該ケースの内部空間に収納されたコアパックとを備える。ケースは、第１ケース部材と第２ケース部材との組み合わせを以って形成され、コアパックは、少なくとも素電池を有し形成されている。
本発明に係る電池パックでは、ケースの一部に、コアパックの一部が露出する窓部が設けられている。また、第１ケース部材の外周縁部には、第２ケース部材に向けて立設された衝立状のリブが、窓部を除く領域に連設されており、第２ケース部材の外周縁部には、第１ケース部材におけるリブの侵入を受け入れる溝部が形成されている。
【００１０】
さらに、本発明に係る電池パックでは、リブが溝部内に侵入した状態において、第１ケース部材におけるリブの外側面と第２ケース部材における溝部を臨む内側面との間には隙間があいた部分が存在している。そして、第１ケース部材におけるリブの外側面と第２ケース部材における溝部を臨む内側面との間には、第１ケース部材の外周縁部に沿った方向において、窓部を臨む部分に水分の移動を抑制する水分移動規制部が設けられていることを特徴とする。
【発明の効果】
【００１１】
本発明に係る電池パックでは、第１ケース部材の外周縁部に沿った方向における窓部を臨む部分であって、第１ケース部材におけるリブの外側面と第２ケース部材における溝部を臨む内側面との間に、水分の移動を抑制する水分移動規制部が設けられている。このため、第１ケース部材におけるリブの外側面と第２ケース部材における溝部を臨む内側面との間に隙間が存在し、その隙間に浸入した水分が窓部の方に向けて移動してきた場合にあっても、水分移動規制部で移動が規制されるので、窓部を通りケース内部に水分が浸入するのを抑制することができる。
【００１２】
従って、本発明に係る電池パックは、防水性能の向上を以って高い信頼性を有する。
本発明に係る電池パックは、次のようなバリエーション構成を採用することができる。
本発明に係る電池パックでは、リブの頂部分が溝部の底部分に対して溶着されているという構成を採用することができる。これにより、リブの頂部分と溝部の底部分との間についても水分の浸入を抑制することができる。
【００１３】
本発明に係る電池パックは、具体的な水分移動規制部として、リブの外側面から、当該外側面に対して交差する方向に突設された筋状または鰭状の副リブであり、当該副リブの頂部分が、第２ケース部材における溝部を臨む内側面に対して溶着されているという構成を採用することができる。このように、水分移動規制部としての副リブの頂部分についても第２ケース部材における溝部を臨む内側面に対して溶着された構成とすることで、当該部分からケース内部への水分の浸入を抑制することができる。
【００１４】
本発明に係る電池パックは、別の具体的な水分移動規制部として、第１ケース部材におけるリブの外側面と第２ケース部材における溝部を臨む内側面との間に液密に介挿された防水テープであるという構成を採用することができる。このように防水テープを介挿させるという構成によっても、水分の浸入を抑制することができる。
本発明に係る電池パックは、別の具体的な水分移動規制部として、第１ケース部材におけるリブの外側面と第２ケース部材における溝部を臨む内側面との間に液密に充填形成された充填部材であるという構成を採用することができる。これによっても、水分の浸入を抑制することができる。
【００１５】
なお、充填する部材としては、例えば、エポキシ樹脂やシリコーン樹脂などを採用することができる。
本発明に係る電池パックは、第１ケース部材と第２ケース部材との間に、第１ケース部材における外周縁部を通る環状のパッキンが介挿されており、パッキンには、第１ケース部材の外周縁部に沿った方向における窓部を臨む部分に、第１ケースにおける前記リブの外側面に対して交差する方向に凸部が一体に形成されている。そして、このパッキンにおける凸部が水分移動規制部として機能するという構成を採用することができる。このようにパッキンを介挿する構成の場合においても、凸部を形成することで水分が隙間に沿って移動するのを規制することができる。これより、ケース内側への水分の浸入を抑制することができる。
【００１６】
本発明に係る電池パックは、ケースの外面における窓部を囲む部分に、外部からの水分の浸入を抑制する防水ラベルが貼着されており、防水ラベルが第１ケース部材と第２ケース部材との突き合わせ部分も被覆しているという構成を採用することができる。このようにケースの外面における窓部を囲む部分への防水ラベルの貼着により、窓部を囲む部分からの水分の浸入も抑制することができる。
【００１７】
本発明に係る電池パックは、窓部が前記第２ケース部材の側壁に閉じた環状に開けられており、第１ケース部材の内底面からは、第２ケース部材における窓部を臨む縁部に向けて柱部が立設されており、柱部の頂部が第２ケース部材における内底面に当接または近接しているという構成を採用することができる。これにより、窓部を囲む部分に防水ラベルを貼着する際に、ケースの剛性を確保することができ、ケースの外面からの防水ラベルの浮きを抑制することができる。
【００１８】
なお、「近接」とは、防水ラベルの貼着に際して、通常の人の押圧力でケースを押圧したときにケースの内面に柱部の頂部が当接することができる隙間をいう。具体的には、０．３ｍｍ程度までの隙間があいた状態を指している。
本発明に係る電池パックは、窓部が第２ケース部材の側壁に閉じた環状に開けられており、窓部から一部が露出するのが、素電池と電気的に接続された角丸直方体形状のコネクタであり、コネクタに、第２ケース部材における窓部を臨む縁部に対して当接または近接する棚部が設けられているという構成を採用することができる。このような構成を採用することによっても、ケースの外面における窓部を囲む部分に防水ラベルを貼着する際に、ケースの剛性を確保することができ、ケースの外面からの防水ラベルの浮きを抑制することができる。
【００１９】
なお、「近接」の定義については、上記同様である。
本発明に係る電池パックでは、第１ケース部材と第２ケース部材との組み合わせからなるケースが、第１ケース部材と第２ケース部材との嵌合方向に扁平な形状であるという構成を採用することができる。このように扁平薄型のケースを備える場合においては、窓部を設けた部分の周辺にリブを立てることが実質的に不可能となるため、本発明に係る構成を採用することが、水分の浸入を抑制する上で効果的となる。
【図面の簡単な説明】
【００２０】
【図１】（ａ）は、本発明の実施の形態１に係る電池パック１の外観構成を一方の側から示す模式斜視図であり、（ｂ）は、他方の側から示す模式斜視図である。
【図２】電池パック１におけるコネクタ１２８が露出した側面を示す模式側面図である。
【図３】（ａ）は、ケース部材１０に対してコアパック１２を装着する工程を示す模式斜視図であり、（ｂ）は、ケース部材１１を嵌合する工程を示す模式斜視図である。
【図４】電池パック１におけるケース部材１１の構成を内面側から示す模式斜視図である。
【図５】（ａ）は、電池パック１におけるケース部材１０とケース部材１１との溶着部分の周辺構造を示す模式断面図であり、（ｂ）は、ケース部材１０とケース部材１１との嵌合部分の一部を示す模式平面図である。
【図６】（ａ）は、本発明の実施の形態1に係る電池パック１におけるコネクタ１２８の周辺構造を示す模式断面図であり、（ｂ）は、比較例に係る電池パックにおけるコネクタ８２８の周辺構造を示す模式断面図である。
【図７】本発明の実施の形態2に係る電池パックにおけるケース部材２１の構成の一部を拡大して示す模式斜視図である。
【図８】実施の形態２に係る電池パックにおけるケース部材１０とケース部材２１との溶着部分の周辺構造を示す模式断面図である。
【図９】本発明の実施の形態３に係る電池パックにおけるケース部材３１の構成の一部を拡大して示す模式斜視図である。
【図１０】（ａ）は、ケース部材３０とケース部材３１とを嵌合し、リブ３１ｂ先端部分を溶着した状態を示す模式断面図であり、（ｂ）は、穴３０ｉ，３１ｉに対して樹脂を充填して防水樹脂部３５を形成した状態を示す模式断面図である。
【図１１】（ａ）は、本発明の実施の形態４に係る電池パックの一部構成を示す模式斜視図であり、（ｂ）は、ケース部材４０の外面にラベル４４，４５および防水ラベル４３を貼着する工程を示す模式斜視図である。
【図１２】ケース部材４１に対して装着されるパッキン４７の構造を示す模式斜視図である。
【図１３】（ａ）は、パッキン４７の一部を拡大して示す模式平面図であり、（ｂ）は、パッキン４７を介挿した状態でケース部材４０とケース部材４１とを嵌合させた状態でのパッキン４７と防水ラベル４３との関係を示す模式断面図である。
【図１４】（ａ）は、本発明の実施の形態５に係る電池パックが備えるコネクタ５２８の構造を示す模式斜視図であり、（ｂ）は、実施の形態５に係る電池パックにおけるコネクタ５２８の周辺構造を示す模式断面図である。
【図１５】（ａ）は、変形例１に係るコネクタ６２８の構造を示す模式斜視図であり、（ｂ）は、変形例２に係るコネクタ７２８の構造を示す模式斜視図である。
【図１６】従来技術に係る電池パックを示す模式斜視図である。
【図１７】（ａ）は、従来技術に係る電池パックにおけるケース部材９０とケース部材９１との嵌合部分を示す模式断面図であり、（ｂ）は、コネクタ９２８が露出する部分の周辺構成を示す模式平面図である。
【発明を実施するための形態】
【００２１】
本発明の実施の形態について、図面を参照しながら説明する。
［実施の形態１］
１．電池パック１の外観構成
図１（ａ）および図１（ｂ）に示すように、本発明の実施の形態に係る電池パック１は、ケース部材１０とケース部材１１との組み合わせを以ってケースが構成されており、Ｚ軸方向における高さが、Ｘ軸方向およびＹ軸方向の寸法に比べて小さい扁平な外観形状を有する。電池パック１においては、ケースにおけるＸ軸方向の右手側面からコネクタ１２８の一部が露出している。
【００２２】
図２に示すように、コネクタ１２８は、ケース部材１０の側面１０ａに設けられた窓部から外部に露出しており、その周囲を囲むように防水ラベル１３が貼着されている。防水ラベル１３は、例えば、防水性を付与されたマイクロセルポリマーシートからなり、ケース部材１０とケース部材１１との突き合わせ部分も被覆するようにケース部材１０とケース部材１１との間で一体に貼着されている。
【００２３】
２．電池パック１の内部構成
図３（ａ）に示すように、ケース部材１０は、角形の浅皿形状をしており、その内底面１０ｃに当接または近接するように、コアパック１２が収納されている。コアパック１２の収納に際しては、ケース部材１０における側面１０ａに設けられた窓部１０ｂに対してコネクタ１２８を差し込み、当該状態で素電池１２１〜１２６などを収納するという手順で行われる。なお、ケース部材１０に設けられた窓部１０ｂは、閉じた角形環状をしている。
【００２４】
コアパック１２は、６つの扁平角形の素電池１２１〜１２６と、これらに電気的に接続された回路基板１２７と、回路基板１２７に実装されたコネクタ１２８とを有し構成されている。
図３（ｂ）に示すように、コアパック１２が収納されたケース部材１０に対して、そのＺ軸方向上側の開口を塞ぐように、ケース部材１１が嵌合される。ケース部材１１は、角形平板形状をしており、その外周縁部においてケース部材１０と超音波接合される。
【００２５】
なお、超音波接合に際しては、ケース部材１１の外面に対して超音波ホーンが当接され、ケース部材１１とケース部材１０との外周縁部同士の突き合わせ部分に超音波振動が付与される。
３．ケース部材１１の構成
図４に示すように、ケース部材１１は、内側主面１１ａの外周縁部にＺ軸方向に立設されたリブ１１ｂを有する（二点鎖線で囲んだＡ1，Ａ2部分を参照）。リブ１１ｂは、全周を囲むように形成されているのではなく、コネクタ１２８が配される開口１１ｃの部分は省略されている。これは、図２などに示すように、扁平形のケースを採用することからスペースの観点からである。
【００２６】
また、図４のＡ1部分に示すように、開口１１ｃのＹ軸方向両脇部分には、Ｚ軸方向に延びる柱部１１ｅ，１１ｆが設けられている（矢印Ｂ部分などを参照）。柱部１１ｅと柱部１１ｆとの間の間隙は、コネクタ１２８の幅に相当する。柱部１１ｅ，１１ｆは、それぞれＬ字の横断面を有する形状となっている。
図４のＡ2部分に示すように、リブ１１ｂの外側面には、副リブ１１ｄが設けられている。副リブ１１ｄは、リブ１１ｂの外側面からケース部材１１の内主面１１ａにおけるリブ１１ｂよりも外側部分まで一続きに設けられており、全体としてＬ字状となっている。
【００２７】
また、副リブ１１ｄにおけるＺ軸方向上端部分は、テーパー状となっている。具体的には、リブ１１ｂの外側面からＸ軸方向外側に行くに従って、Ｚ軸方向の高さが低くなるように形成されている。
ここで、副リブ１１ｄについては、開口１１ｃを挟んだＹ軸方向の反対側にも同様に形態を以って形成されている。
【００２８】
なお、図４に示すケース部材１１の形状については、ケース部材１０との接合前の部品の状態を示すものである。
４．ケース部材１０とケース部材１１との嵌合
図５（ａ）に示すように、ケース部材１０とケース部材１１とは、その外周縁部同士が突き合わされた状態で超音波接合されている。上述のように、ケース部材１１には、リブ１１ｂが設けられており、ケース部材１０には、リブ１１ｂの挿入を受け入れる溝部が形成されている。超音波接合により、リブ１１ｂの頂部分が溶融して、ケース部材１０における溝底に溶着している（溶着部１１ｇ）。なお、図５（ａ）では、溶着部１１ｇについては模式的に図示をしており、実際の状態とは異なっている。以下においても同様である。
【００２９】
また、リブ１１ｂの外側面における開口１１ｃを臨む両脇部分に設けられた副リブ１１ｄは、その先端辺部分がケース部材１０の溝部を臨む内側面に溶着する（溶着部１１ｈ）。これにより、ケース部材１１におけるリブ１１ｂの外側面とケース部材１０の溝部を臨む内側面との間に隙間は、液密に封止されることになる。
図５（ｂ）に示すように、ケース部材１１のリブ１１ｂの外側面とケース部材１０の溝部を臨む内側面との隙間に仮に水分が浸入した場合にあっても、リブ１１ｂの頂部分の溶着部１１ｇによりＸ軸方向への直接の水分の浸入が抑制される。また、矢印Ｆｌｏｗで示すように、ケース部材１１のリブ１１ｂの外側面とケース部材１０の溝部を臨む内側面との隙間を水分が伝搬していった場合にあっても、副リブ１１ｄの先端辺部分の溶着部１１ｈにより（矢印Ｃ1部分）、Ｙ軸方向への水分の伝搬が当該部分で阻止され、窓部（矢印Ｃ2部分）を介してのケース内側への水分浸入が抑制できる。
【００３０】
従って、電池パック１において、先端辺部分が溶着された（溶着部１１ｈを備えた）副リブ１１ｄは、窓部（リブ１１ｂが途切れた開口１１ｃ）を臨む部分への水分の移動を抑制する水分移動規制部として機能するものである。これより、本実施の形態に係る電池パック１では、防水性能が高く、携帯電子機器や車両用の電源として高い品質を備える。
５．ケース部材１１における柱部１１ｅ，１１ｆの果たす役割
図６（ａ）に示すように、本実施の形態に係る電池パック１では、ケース部材１１の内底面からＺ軸方向上向きに柱部１１ｅ，１１ｆ（図６（ａ）では、柱部１１ｅのみを図示。）が立設されており、当該柱部１１ｅ，１１ｆは、回路基板１２７の対応箇所に開けられた孔１２１７ａを挿通して（矢印Ｄ部分）、ケース部材１０の内底面に当接している。なお、柱部１１ｅ，１１ｆの頂部分については、必ずしもケース部材１０の内底面に当接している必要はなく、若干の隙間があいた近接状態（例えば、０．３ｍｍ以下）となっていても構わない。
【００３１】
上記のような構成で設けられたケース部材１１の柱部１１ｅ，１１ｆは、防水ラベル１３を貼着する際に、ケース部材１０の撓み量を軽減する効果を奏し、防水ラベル１３の浮きを防止するのに寄与する。即ち、防水ラベル１３は、ケース部材１０，１１に対してコネクタ１２８が露出する部分の周囲を取り囲むように貼着されるのであるが（貼着部１３ａ，１３ｂ）、特に、貼着部１３ａの貼着に際して、貼着に係る力Ｆによるケース部材１０の底面の撓みを抑える構造材として機能する。
【００３２】
特に、本実施の形態のように、ケース部材１０に設けられた閉じた窓部１０ｂからコネクタ１３の一部を露出させる構成を採用する場合には、ケース部材１０の窓部１０ｂ周辺に剛性補強部を設けることが困難であるため、本実施の形態のような構成を採用することが有効である。
一方、図６（ｂ）に示すように、比較例に係る電池パックのように、ケース部材８０１に柱部が形成されていない場合には、コネクタ８２８の周囲を取り囲む防水ラベル８１３の貼着に際して、貼着部８１３ａへの力Ｆによりケース部材８００の底面がＺ軸方向下方に撓み、貼着部８１３ａにおいてケース部材９００の外面との間に浮きを生じる場合がある。このように浮きを生じると、外部からの水分の浸入を確実に防止することができず、電池パックの信頼性の低下に繋がってしまう。
【００３３】
以上のように、ケース部材１１に柱部１１ｅ，１１ｆを設ける本実施の形態に係る電池パック１では、コネクタ１２８周りからの水分の浸入も確実に抑制することができる。
なお、リブ１１ｂの外側面に副リブ１１ｄを設ける構成を採用せず、ケース部材１１に柱部１１ｅ，１１ｆを設ける構成だけを採用した場合にも、その分だけ防水性能を向上させることが可能となる。
【００３４】
［実施の形態２］
１．ケース部材２１の構成
図７に示すように、本発明の実施の形態に係る電池パックでは、ケース部材２１におけるリブ２１ｂに対して、その外側面に対して防水テープ２４が貼着されている。防水テープ２４は、リブ２１ｂの外側面からケース部材２１の内底面２１ａにおけるリブ２１ｂの外側にも一続きに貼着されている。
【００３５】
防水テープ２４の貼着箇所は、上記実施の形態１に係る電池パック１における副リブ１１ｄと同様の箇所であって、コネクタが通過する開口２１ｃを臨む両脇部分である。なお、防水テープ２４は、リブ２１ｂおよび内底面２１ａに対して液密に貼着されている。
なお、ケース部材２１および貼着されている防水テープ２４を除く他の構成については、上記実施の形態１と同様であるので、図示および説明を省略する。
【００３６】
２．ケース部材１０とケース部材２１との嵌合
図８に示すように、本実施の形態に係る電池パックにおいても、ケース部材１０とケース部材２１とは、外周縁部同士を突き合わせた状態で超音波接合される。このため、ケース部材２１におけるリブ２１ｂの頂部分が溶融してケース部材１０の溝底に溶着されている（溶着部２１ｇ）。
【００３７】
そして、本実施の形態では、ケース部材２１におけるリブ２１ｂの外側面とケース部材１０における溝部を臨む内側面との間に、液密に防水テープ２４が介挿された状態となる。このため、本実施の形態に係る電池パックにおいても、ケース部材２１のリブ２１ｂの外側面とケース部材１０の溝部を臨む内側面との隙間を水分が伝搬していった場合にあっても、防水テープ２４の介挿により水分の伝搬が当該部分で阻止され、窓部を介してのケース内側への水分浸入が抑制できる。
【００３８】
また、本実施の形態においても、リブ２１ｂの頂部分の溶着部２１ｇによりＸ軸方向への直接の水分の浸入が抑制され、さらに、コネクタの周囲を囲むように防水ラベルが貼着されている構成は上記実施の形態１と同様であるので、当該部分からの水分の浸入を抑制できる点も上記同様である。
なお、本実施の形態に係る防水テープ２４の材質については、防水性があれば特に限定はされないが、例えば、ポリオレフィンの発泡材を基材とし、その一方の面にアクリル樹脂系の粘着剤が塗布されたテープを用いることができる。
【００３９】
［実施の形態３］
１．ケース部材３１の構成
図９に示すように、本発明の実施の形態に係る電池パックのケース部材３１では、リブ３１ｂの外側面の一部、および内底面３１ａにおけるリブ３１ｂの外側に連続した状態で、筋状の溝３１ｉが刻設されている。溝３１ｉが刻設されているのは、リブ３１ｂにおける開口３１ｃを臨む部分であり、図示を省略しているが、開口３１ｃを挟んだ反対側にも同様に溝３１ｉが刻設されている。
【００４０】
２．ケース部材３０とケース部材３１との嵌合
図１０（ａ）に示すように、本実施の形態に係る電池パックにおいても、その組み立て時において、ケース部材３０とケース部材３１とは、外周縁部同士を突き合わせた状態で超音波接合される。このため、ケース部材３１におけるリブ３１ｂの頂部分が溶融してケース部材３０の溝底に溶着されている（溶着部３１ｇ）。
【００４１】
ここで、ケース部材３０についても、ケース部材３１の溝３１ｉに対応した箇所に、同様の形態の溝３０ｉが刻設されている。
図１０（ｂ）に示すように、本実施の形態に係る電池パックでは、ケース部材３０とケース部材３１とを超音波接合した後に、溝３０ｉ，３１ｉに対して防水性の接着剤を充填し、例えば、ＵＶ（紫外光）を照射することで硬化させ防水樹脂部３５を設けている。これにより、図１０（ｂ）に示すように、ケース部材３１におけるリブ３１ｂの外側面とケース部材３０における溝部を臨む内側面との間の隙間が、防水樹脂部３５により液密に塞がれる。なお、防水樹脂部３５については、コネクタが露出する窓部を挟んだ反対側の溝３０ｉ，３１ｉにも充填形成されている。
【００４２】
従って、本実施の形態に係る電池パックにおいても、ケース部材３１のリブ３１ｂの外側面とケース部材３０の溝部を臨む内側面との隙間を水分が伝搬していった場合にあっても、防水樹脂部３５の充填形成により水分の伝搬が当該部分で阻止され、窓部を介してのケース内側への水分浸入が抑制できる。
なお、本実施の形態においても、リブ３１ｂの頂部分の溶着部３１ｇによりＸ軸方向への直接の水分の浸入が抑制され、さらに、コネクタの周囲を囲むように防水ラベルが貼着されている構成は上記実施の形態１と同様であるので、当該部分からの水分の浸入を抑制できる点も上記同様である。
【００４３】
［実施の形態４］
１．電池パックの概略構成
図１１（ａ）に示すように、本発明の実施の形態では、ケース部材４０とケース部材４１とで構成される扁平角形のケース内側に、コアパック４２が収納され、ケース部材４０とケース部材４１とは９つのねじ４６１〜４６９で接合されている。
【００４４】
コアパック４２は、円筒形の外観形状をした９本の素電池４２１〜４２９と、これらに電気的に接続された回路基板４３０と、回路基板４３０に実装されたコネクタ４３１とを備える。そして、コネクタ４３１は、上記実施の形態１に係る電池パック１と同様に、ケースに設けられた窓部からその一部が露出するようになっている。
なお、本実施の形態に係る電池パックにおいても、ケース部材４０とケース部材４１とは、互いの外周縁部同士が突き合わされている構成については、上記実施の形態１と同様である。ただし、超音波接合がなされていない点で異なる。
【００４５】
図１１（ｂ）に示すように、コアパック４２を収納したケース（ケース部材４０とケース部材４１との組み合わせ）の外面に対して、ラベル４４，４５および防水ラベル４３が貼着され、これにより電池パック２が構成されている。
ここで、ラベル４４，４５については、コーションラベルなどとして用いられるものであり、防水ラベル４３については、上記実施の形態１に係る電池パック１の防水ラベル１３と同様の構成となっている。
【００４６】
２．ケース部材４１およびパッキン４７
図１２に示すように、ケース部材４１は、浅皿形状をしており、その外周縁部にＺ軸方向に向けてリブ４１ａが立設されている。本実施の形態に係るケース部材４１においても、コネクタ４３１の露出部分についてはリブ４１ａが設けられていない。また、ケース部材４１の外周縁部において、リブ４１ａの外側には、浅い溝４１ｊが設けられており、当該溝４１ｊに対して環状のパッキン４７が填め込まれている。
【００４７】
パッキン４７は、ケース部材４１の外周縁部の形状に合わせて平面視において略矩形状をしており、コネクタ４３１に相当する部分（二点鎖線で囲む部分Ｅ1）がコネクタ４３１を避けるようにＺ軸方向下側に逃げる形状となっている。
３．パッキン４７の一部詳細
図１３（ａ）に示すように、パッキン４７の二点鎖線で囲んだ部分Ｅ1を矢印Ｅ2の方向から見たとき、コの字状に逃げ部分４７ｃが設けられている。当該逃げ部分４７ｃのサイズは、コネクタ４３１に合わせて設定されている。
【００４８】
図１３（ａ）および二点鎖線で囲んで抜き出した部分に示すように、逃げ部分４７ｃのＹ軸方向の両脇部分４７ｄには、Ｘ軸方向に突出した凸部４７ａ，４７ｂが設けられている。凸部４７ａ，４７ｂを含めてパッキン４７は、弾性材料を用い一体形成されている。パッキン４７の形成に用いる弾性材料としては、例えば、シリコーンゴムなどを採用することができる。
【００４９】
４．パッキン４７と防水ラベル４３
図１３（ｂ）に示すように、本実施の形態に係る電池パックにおいては、ケース部材４０，４１におけるコネクタ４３１を囲む部分に防水ラベル４３を貼着したときに、パッキン４７の凸部４７ａ，４７ｂの先端が防水ラベル４３の内面に対して弾性付勢されることになる（矢印Ｇ部分）。なお、図１３（ｂ）では、凸部４７ｂが設けられた部分だけを図示しているが、凸部４７ａが設けられたに部分についても同様の構成となっている。
【００５０】
このように、ケース部材４０とケース部材４１との間にパッキン４７を介挿し、さらにパッキン４７に設けた凸部４７ａ，４７ｂを防水ラベル４３の内面に弾性付勢する構成を採用する本実施の形態に係る電池パック２では、超音波接合を行わないものの、上記実施の形態１に係る電池パック１と同様の防水性能を確保することができる。即ち、ケース部材４１におけるリブ４１ａの外側面とケース部材４０における溝部を臨む内側面との間に浸入し、伝搬してきた水分について、少なくともその一部がパッキン４７の凸部４７ａ，４７ｂで遮断され、コネクタ４３１周りからの内部への浸入を抑制することができる。
【００５１】
従って、本実施の形態に係る電池パック２においても、高い防水性能を確保し、高い品質を維持することができる。
［実施の形態５］
本発明の実施の形態５に係る電池パックでは、コネクタ５２８の形状の特徴を有し、他の構成については、上記実施の形態１と同様である。以下では、コネクタ５２８の形態について説明する。
【００５２】
１．コネクタ５２８の構成
図１４（ａ）に示すように、コネクタ５２８は、接続端子として機能するコネクタ本体部５２８ａと、そのＸ軸方向背面側に設けられた棚部５２８ｂ（矢印Ｈ部分）とが一体に形成されている。棚部５２８ｂは、コネクタ本体部５２８ａのＺ軸方向上面よりも一段低く形成されている。
【００５３】
２．ケース部材５０，５１とコネクタ５２８
図１４（ｂ）に示すように、ケース部材５０とケース部材５１とを嵌合したときに、コネクタ５２８の一部は露出するようになっている。そして、ケース部材５０，５１におけるコネクタ５２８周りには、防水ラベル１３が上記実施の形態１と同様に貼着されている。
【００５４】
コネクタ５２８における棚部５２８ｂは、ケース部材５０における開口縁を支持する役割を果たす。これにより、ケース部材５０の外面に対して防水ラベル１３を貼着する際に貼着部１３ａに力Ｆを加えたときに、コネクタ５２８の棚部５２８ｂがケース部材５０の撓みを抑える支持部材として機能することで、ケース部材５０の外面に対して防水ラベル１３が浮いてしまうという事態を抑制することができる。
【００５５】
従って、本実施の形態に係るコネクタ５２８を採用する場合には、コネクタ５２８周りにおけるケース部材５０の外面と防水ラベル１３との間からの水分の浸入を抑制することができる。
［変形例１］
図１５（ａ）に示すように、コネクタ６２８には、コネクタ本体部６２８ａに対して一体的に３つの棚部６２８ｂ，６２８ｃ，６２８ｄが形成されている（矢印Ｉ１，Ｉ２，Ｉ３部分）。このような構成のコネクタ６２８を採用する電池パックにおいても、上記実施の形態１，５と同様の防水性能により、高い品質を確保することができる。
【００５６】
［変形例２］
図１５（ｂ）に示すように、コネクタ７２８には、コネクタ本体部７２８ａに対して、そのＸ軸方向背面側に棚部７２８ｂが一体形成されているとともに、さらに、Ｙ軸方向両側にも棚部７２８ｃが形成されている（矢印Ｊ部分）。このようなコネクタ７２８を採用する電池パックでは、コネクタ７２８における両側部分でもケース部材を支持することができるため、上記実施の形態５および変形例１に係る構成を採用する場合よりも、さらに確実にケース部材の撓みを抑制することができる。
【００５７】
従って、本変形例に係るコネクタ７２８を採用する電池パックにおいても、防水性能の向上により、高い品質を確保することができる。
［その他の事項］
上記実施の形態１では、ケース部材１１に設ける副リブ１１ｄの構成と、ケース部材１１から立設される柱部１１ｅ，１１ｆの構成とを両方採用することとしたが、どちらか一方の構成だけを採用することとしても、その分だけ防水性能の向上を図ることができる。
【００５８】
また、上記実施の形態１〜５および変形例１，２では、ケースの窓部からコネクタ１２８，４３１，５２８，６２８，７２７の一部が露出する構成としたが、窓部を設ける目的については、これに限定されるものではない。例えば、配線の引き出し口としての窓部や、各種設定のためのスイッチ類を設けるための窓部、さらには、ＬＥＤや液晶などのインジケータを設けるための窓部に対しても、上記同様の構成を採用することで、同様の効果を得ることができる。
【００５９】
また、上記実施の形態１〜５および変形例１，２では、ケースの外観形状を扁平角形としたが、角形でなく円形や楕円形の平面形状であってもよいし、扁平でない立方体や直方体などの形状とすることもできる。
また、上記実施の形態１〜５および変形例１，２では、コネクタ１２８，４３１，５２８，６２８，７２８の外観形状を角丸直方体形状としたが、装着機器との関係から種々の形状とすることができる。立方体形状や薄板形状とすることなどもできる。
【００６０】
コアパック１２，４２に含まれる素電池１２１〜１２６，４２１〜４２９の電池種類については、特に言及しなかったが、例えば、リチウムイオン電池やニッケル水素電池等を採用することができる。また、素電池の外観形状についても、扁平角形や円筒形の他に、コイン形、ガム形などを採用することもできるし、ラミネート外装電池を採用することもできる。
【産業上の利用可能性】
【００６１】
本発明は、携帯電子機器や車両用などの電源として、高い防水性能を有する電池パックを実現するのに有用である。
【符号の説明】
【００６２】
１，２．電池パック
１０，１１，２１，３０，３１，４０，４１，５０，５１．ケース部材
１２，４２．コアパック
１３，４３．防水ラベル
２４．防水テープ
３５．防水樹脂部
４４，４５．ラベル
４７．パッキン
１２１〜１２６，４２１〜４２９．素電池
１２７，４３０．回路基板
１２８，４３１，５２８，６２８，７２８．コネクタ
４６１〜４６９．ねじ
【図１】
2014137909.tif 000003
【図２】
2014137909.tif 000004
【図３】
2014137909.tif 000005
【図４】
2014137909.tif 000006
【図５】
2014137909.tif 000007
【図６】
2014137909.tif 000008
【図７】
2014137909.tif 000009
【図８】
2014137909.tif 000010
【図９】
2014137909.tif 000011
【図１０】
2014137909.tif 000012
【図１１】
2014137909.tif 000013
【図１２】
2014137909.tif 000014
【図１３】
2014137909.tif 000015
【図１４】
2014137909.tif 000016
【図１５】
2014137909.tif 000017
【図１６】
2014137909.tif 000018
【図１７】
2014137909.tif 000019